(57)【要約】【課題】ユーザーの服装に合わせた時計画像を自動的に設定して表示する。【解決手段】リスト端末装置１は、時計画像を表示するディスプレイ１１０と、ディスプレイ１１０を挟んで互いに対向する位置に設けられ、ユーザーの手首に装着するバンド２と、ユーザーの服装画像を取得し、取得したユーザーの服装画像に応じた時計画像を、ディスプレイ１１０に表示する制御を行うＣＰＵ１６と、を備える。【選択図】図３
2014174144.tif 000002
【特許請求の範囲】
【請求項１】
時計画像を表示する表示手段と、
前記表示手段を挟んで互いに対向する位置に設けられ、ユーザーの手首に装着するバンドと、
ユーザーの服装画像を取得する服装画像取得手段と、
前記服装画像取得手段により取得されたユーザーの服装画像に応じた時計画像を、前記表示手段に表示する制御を行う時計画像表示制御手段と、
を備えることを特徴とするリスト端末装置。
【請求項２】
前記服装画像取得手段は、外部機器により撮影された前記ユーザーの服装画像を受信して取得することを特徴とする請求項１に記載のリスト端末装置。
【請求項３】
服装画像の種類ごとに、時計画像を複数記憶している時計画像記憶手段と、
前記服装画像取得手段により取得されたユーザーの服装画像に応じた時計画像を前記時計画像記憶手段から読みだして、当該複数の時計画像からユーザー操作により選択した時計画像を表示対象に設定する時計画像設定手段と、
を備え、
前記時計画像表示制御手段は、前記時計画像設定手段により設定された時計画像を前記表示手段に表示する制御を行うことを特徴とする請求項１又は２に記載のリスト端末装置。
【請求項４】
前記服装画像取得手段により取得されたユーザーの服装画像に応じた時計画像を外部機器から受信して、表示対象に設定する時計画像設定手段を備え、
前記時計画像表示制御手段は、前記時計画像設定手段により設定された時計画像を前記表示手段に表示する制御を行うことを特徴とする請求項１又は２に記載のリスト端末装置。
【請求項５】
前記服装画像取得手段は、手首部分の画像を含むユーザーの服装画像を取得し、
前記時計画像表示制御手段が、
前記時計画像設定手段により表示対象に設定された時計画像の正面視におけるサイズと、前記表示手段の正面視におけるサイズとを比較し、
前記時計画像の前記バンドの幅方向における縁部と、前記表示手段の前記バンドの幅方向における縁部との間に隙間があると判定したときに、前記隙間に、前記服装画像取得手段により取得されたユーザーの手首部分の画像と同じ色の画像を付加して、前記表示手段に表示する制御を行うことを特徴とする請求項３又は４に記載のリスト端末装置。
【請求項６】
前記時計画像表示制御手段が、
前記時計画像設定手段により表示対象に設定された時計画像の正面視におけるサイズと、前記表示手段の正面視におけるサイズとを比較し、
前記時計画像の前記バンドの長さ方向における縁部と、前記表示手段の前記バンドの長さ方向における縁部との間に隙間があると判定したときに、前記隙間に前記バンドの幅及び色と同じ幅及び色の画像を付加して、前記表示手段に表示する制御を行うことを特徴とする請求項３〜５のいずれか一項に記載のリスト端末装置。
【請求項７】
前記バンドの幅及び色のデータを記憶する記憶手段を備えることを特徴とする請求項３〜６のいずれか一項に記載のリスト端末装置。
【請求項８】
前記表示手段の前記バンドの幅方向における表示領域が、当該表示手段の正面側から側面側に向けて延在し、
前記リスト端末装置を手首に装着して正面視した際に、前記表示手段の前記バンドの幅方向における表示領域の外側に、当該表示領域に連続して前記手首が配置されることを特徴とする請求項３〜７のいずれか一項に記載のリスト端末装置。
【請求項９】
時計画像を表示する表示手段を備えるコンピュータに、
ユーザーの服装画像を取得する服装画像取得機能と、
前記服装画像取得機能により取得されたユーザーの服装画像に応じた時計画像を、前記表示機能に表示する制御を行う時計画像表示制御機能と、
を備えることを特徴とするプログラム。
【発明の詳細な説明】
【技術分野】
【０００１】
本発明は、リスト端末装置及びプログラムに関する。
【背景技術】
【０００２】
近年、携帯型電子機器等の筐体のデザインについて、自分好みにカスタマイズすることが要求されている。
筐体のデザイン変更によるカスタマイズとして、例えば、既存の筐体にシールを貼ったり、筐体に色を塗ったり、また、筐体本体に着脱可能なプラスチックの着せ替えパネルを装着するなどが挙げられる。
しかしながら、既存の筐体にシールを貼ったり、色を塗ったりする場合、シールや色が剥がれやすく、また、一度シールを貼ったり、色を塗ったりすると、その後に再度カスタマイズすることが困難となる。さらに、着せ替えパネルの場合、その種類に限界があり、ユーザー好みのパネルが必ずしもあるとは限らず、気軽にデザインを変更することができない。また、着せ替えパネル提供者にとっては、着せ替え用のプラスチックパネルの種類を増やすと、無駄な在庫を作り、その都度、設計費が発生し負担が増加する。
【０００３】
一方、電子機器の筐体の色や模様等のデザインをユーザーが使用している服装や部屋のインテリア等にマッチングしたデザインに変更できる技術が知られている（例えば、特許文献１参照）。具体的には、携帯型電子機器の筐体の一部に、電子ペーパー表示部を設けて、設定した画像から繰り返しパターンを生成し、電子ペーパーに電子的に表示させる。また、電子ペーパー上にタッチセンサーを設けて、表示画像の濃度等を調整している。
【先行技術文献】
【特許文献】
【０００４】
【特許文献１】特開２００６−１７３４８４号公報
【発明の概要】
【発明が解決しようとする課題】
【０００５】
しかしながら、上記特許文献１に記載の携帯型電子機器は、その電子ペーパー表示部をユーザー自身で好みの色や模様等に設定する必要があり、その操作が煩雑であった。
本発明の課題は、ユーザーの服装に合わせた時計画像を自動的に設定して表示することのできるリスト端末装置及びプログラムを提供することである。
【課題を解決するための手段】
【０００６】
以上の課題を解決するため、本発明は、リスト端末装置において、
時計画像を表示する表示手段と、
前記表示手段を挟んで互いに対向する位置に設けられ、ユーザーの手首に装着するバンドと、
ユーザーの服装画像を取得する服装画像取得手段と、
前記服装画像取得手段により取得されたユーザーの服装画像に応じた時計画像を、前記表示手段に表示する制御を行う時計画像表示制御手段と、
を備えることを特徴とする。
【発明の効果】
【０００７】
本発明によれば、ユーザーの服装に合わせた時計画像を自動的に設定して表示することができる。
【図面の簡単な説明】
【０００８】
【図１】リスト端末装置の一例を示した外観図である。
【図２】リスト端末装置の概略構成を示すブロック図である。
【図３】リスト端末装置の処理の概要を説明するためのフローチャートである。
【図４】時計画像取得処理を説明するためのフローチャートである。
【図５】和服対応の時計画像が表示されたリスト端末装置の外観図である。
【図６】洋服対応の時計画像が表示されたリスト端末装置の外観図である。
【図７】水着又は遊び着対応の時計画像が表示されたリスト端末装置の外観図である。
【図８】葬式対応の時計画像が表示されたリスト端末装置の外観図である。
【図９】リスト端末装置のその他の例を示した外観図である。
【発明を実施するための形態】
【０００９】
以下、添付図面を参照して本発明に係る実施の形態の一例を詳細に説明する。ただし、発明の範囲は、図示例に限定されない。
【００１０】
［構成］
図１は、本発明におけるリスト端末装置の一例を示した外観図である。また、図２は、リスト端末装置の概略構成を示すブロック図である。
【００１１】
なお、以下の説明において、図１の紙面の手前側を正面、奥側を背面、Ｘ方向を左右方向（バンド２の幅方向）、Ｙ方向を上下方向（バンド２の長さ方向）というものとする。
図１に示すように、リスト端末装置１は、ユーザーの手首に装着するためのバンド２，２と、バンド２，２が取り付けられたケース３と、を備えた腕時計状に形成されている。
バンド２，２は、ケース３を挟んで互いに対向する上端部及び下端部にそれぞれ取り付けられている。
ケース３は、略環状に形成されており、ケース３内にディスプレイ１１０が収納されている。
【００１２】
ディスプレイ１１０は、有機エレクトロルミネッセンス素子を用いたカラー液晶ディスプレイ等である。
ディスプレイ１１０の左右方向における表示領域Ａは、ディスプレイ１１０の正面側から左右側面側に向けて延在し、ディスプレイ１１０の左右側面が、ケース３によって覆われておらず、ケース３から露出している。したがって、リスト端末装置１を手首に装着して正面視した場合、ディスプレイ１１０の左右方向における表示領域Ａの外側に、当該表示領域Ａに連続して手首が配置されるようになっている。
また、ディスプレイ１１０の上端面及び下端面は、ケース３によって覆われている。
そして、ケース３の正面側の開口部に、ケース３内に収納されたディスプレイ１１０の正面に対向して時計ガラス（図示しいない）が取り付けられ、ケース３の裏面側の開口部に裏蓋（図示しない）が取り付けられている。
なお、本実施形態では、バンド２が有色の場合を例に挙げて説明する。
【００１３】
図２に示すように、リスト端末装置１は、表示部１１と、入力部１２と、通信部１３と、画像撮影部１４と、記憶部１５と、ＣＰＵ１６等とを備えて構成されている。そして、ケース３内にこれら表示部１１と、入力部１２と、無線通信部１３０と、近距離通信部１３１と、画像撮影部１４と、記憶部１５と、ＣＰＵ１６等が収納されている。
【００１４】
表示部１１は、上述のディスプレイ１１０で構成されている。また、表示部１１は、ＣＰＵ１６から入力される表示信号に基づいて各種情報を表示するようになっている。なお、本実施の形態におけるディスプレイ１１０は、タッチパネル１２０と一体的に形成されており、ユーザーによるタッチ操作を受け付け可能となっている。
【００１５】
入力部１２は、上述のタッチパネル１２０を備えており、押下されたタッチパネル１２０の位置に対応する信号をＣＰＵ１６に出力するようになっている。
また、入力部１２はキー群（図示しない）を備えても良く、押下されたキーの種類に対応する信号をＣＰＵ１６に出力するようにしても良い。
【００１６】
通信部１３は、無線通信部１３０と、近距離通信部１３１とを備えている。
無線通信部１３０は、サーバー１７との間でデータ通信を行うものであり、例えば、無線通信を行うようになっている。なお、無線通信の方式としては、携帯通信やWi-Fi等の無線ＬＡＮなどを用いることができる。
【００１７】
近距離通信部１３１は、Bluetooth（登録商標）等の無線通信方式のモジュールで構成されている。近距離通信部１３１は、通信可能エリア内（例えば、半径２ｍ以内）に通信端末装置（例えば、パソコン、携帯電話、スマートフォン等）１８がある場合に、通信端末装置１８との間で無線通信を行う。
【００１８】
画像撮影部１４は、レンズ及び撮像素子などによって構成されたカメラであり、ＣＰＵ１６の指示によりレンズから入光して撮像素子上に結像する画像を画像信号としてＣＰＵ１６の記憶部１５に記憶するようになっている。例えば、ユーザーにより撮影された画像を後述する記憶部１５に記憶するようになっている。
【００１９】
記憶部１５は、リスト端末装置１の各種機能を実現するためのプログラムやデータを記憶するとともに、ＣＰＵ１６の作業領域として機能するメモリである。本実施の形態においては、記憶部１５は、時計画像取得処理プログラム１５０、時計画像表示制御プログラム１５１、スケジュールデータベース１５２、バンド情報データベース１５３、服装画像別時計画像データベース１５４及び撮影画像データ記憶領域１５５等を記憶している。
【００２０】
時計画像取得処理プログラム１５０は、後述するように、服装やスケジュールに応じた時計画像の取得をＣＰＵ１６に実行させるためのプログラムである。
【００２１】
時計画像表示制御プログラム１５１は、後述するように、時計画像取得プログラム１５０によって服装やスケジュールに応じた時計画像を取得した後、当該時計画像のディスプレイ１１０への表示をＣＰＵ１６に実行させるためのプログラムである。
【００２２】
スケジュールデータベース１５２は、ユーザーによって登録されたスケジュールのデータが記憶されている。具体的には、冠婚葬祭や旅行等のイベントと、その日時とが対応づけて記憶されている。
また、スケジュールデータベース１５２は、登録されたスケジュールデータに対応する服装画像のデータが、当該スケジュールデータに対応づけて記憶されている。例えば、葬式の場合は、図８に示すように喪服向けの小型で黒色の時計画像Ｔ４のデータが記憶されている。
【００２３】
バンド情報データベース１５３は、リスト端末装置１に備えられたバンド２の幅及び色のデータが記憶されている。
【００２４】
服装画像別時計画像データベース１５４は、様々な服装に対応した時計画像のデータが、各服装に対応づけて記憶されている。例えば、和服の場合は、図５に示すように和服向けの上下方向及び左右方向において小型の時計画像Ｔ１のデータ、洋服の場合は、図６に示すように左右方向の幅の狭い時計画像Ｔ２のデータ、水着又は遊び着の場合は、図７に示すようにディスプレイ１１０の全面を使用した大型の時計画像Ｔ３のデータ等が記憶されている。
【００２５】
撮影画像データ記憶領域１５５は、画像撮影部１４により撮影された画像データが記憶されている。
【００２６】
ＣＰＵ１６は、リスト端末装置１の各部を中央制御する。具体的には、ＣＰＵ１６は、記憶部１５に記憶されているシステムプログラム及び各種アプリケーションプログラムの中から指定されたプログラムを展開し、展開されたプログラムとの協働で、各種処理を実行する。
【００２７】
［動作］
＜処理の概要＞
リスト端末装置１によって実行される処理の概要について、図３を参照しながら説明する。
図３は、リスト端末装置の処理の概要を説明するためのフローチャートである。
ユーザーによって、リスト端末装置１が起動され、スケジュールが入力されると、ＣＰＵ１６は、スケジュールデータベース１５２に、入力されたイベントと日時等とを対応付けて記憶し、スケジュールを登録する（ステップＳ１）。
【００２８】
次に、ＣＰＵ１６は、リスト端末装置１に内蔵されたカメラ（画像撮影部１４）、又はカメラ付きの外部機器（例えば、カメラ付き携帯電話等）により、ユーザー自身の服装及び手首部分を撮影し（ステップＳ２）、リスト端末装置１で撮影して取得した当該服装及び手首部分（又は外部機器で撮影し、外部機器から送信され、リスト端末本体で受信して取得した当該服装及び手首部分）について、服装の形状、服装の色、ネクタイの有無及び肌の露出度等から服装の種類を判定する（ステップＳ３）。
【００２９】
次に、ＣＰＵ１６は、ステップＳ３における判定結果に基づいて、服装画像別時計画像データベース１５４、スケジュールデータベース１５２又はサーバー１７内から服装に応じた適切な時計画像を取得して、取得した時計画像を表示させる設定とする（ステップＳ４）。
【００３０】
次に、ＣＰＵ１６は、ステップＳ４で設定した時計画像を、リスト端末装置１のディスプレイ１１０に表示して（ステップＳ５）、処理を終了する。
【００３１】
＜時計画像取得処理＞
次に、上記ステップＳ２〜ステップＳ４で行われる時計画像取得処理について詳細に説明する。
図４は、時計画像取得処理を説明するためのフローチャートである。
図４に示すように、時計画像取得処理においては、まず、ＣＰＵ１６は、リスト端末装置１に内蔵カメラ１４があるか否かを判定し（ステップＳ１１）、内蔵カメラ１４がない場合には（ステップＳ１１；Ｎｏ）、カメラ付き外部機器により、ユーザー自身の服装及び手首部分を撮影し（ステップＳ１２）、当該カメラ付き外部機器から撮影画像を受信し（ステップＳ１３）、ステップＳ１５に移行する。
【００３２】
ステップＳ１１において、リスト端末装置１に内蔵カメラ１４がある場合には（ステップＳ１１；Ｙｅｓ）、当該内蔵カメラ１４により、ユーザー自身の服装及び手首部分を撮影し（ステップＳ１４）、ステップＳ１５に移行する。
【００３３】
ステップＳ１５において、撮影した服装画像が和服であるか否かを判定し、和服である場合には（ステップＳ１５；Ｙｅｓ）、和服対応の時計画像が記憶部１５の服装画像別時計画像データベース１５４にあるか否かを判定する（ステップＳ１６）。
【００３４】
ステップＳ１６において、和服対応の時計画像が服装画像別時計画像データベース１５４にない場合には（ステップＳ１６；Ｎｏ）、サーバー１７から和服対応の時計画像を受信し（ステップＳ１７）、当該和服対応の時計画像を表示させる設定とし（ステップＳ１８）、後述のステップＳ３１に移行する。
ステップＳ１６において、和服対応の時計画像が服装画像別時計画像データベース１５４にある場合には（ステップＳ１６；Ｙｅｓ）、服装画像別時計画像データベース１５４から和服対応の時計画像を選択し、当該和服対応の時計画像を表示させる設定とし（ステップＳ１８）、後述のステップＳ３１に移行する。
【００３５】
ここで、和服対応の時計画像とは、例えば図５に示すように、ディスプレイ１１０よりも上下方向及び左右方向において全体的に小型の時計画像Ｔ１である。
【００３６】
ステップＳ１５において、撮影した服装画像が和服でない場合には（ステップＳ１５；Ｎｏ）、撮影した服装の画像が洋服であるか否かを判定し（ステップＳ１９）、洋服である場合には（ステップＳ１９；Ｙｅｓ）、洋服対応の時計画像が記憶部１５の服装画像別時計画像データベース１５４にあるか否かを判定する（ステップＳ２０）。
【００３７】
ステップＳ２０において、洋服対応の時計画像が服装画像別時計画像データベース１５４にない場合には（ステップＳ２０；Ｎｏ）、サーバー１７から洋服対応の時計画像を受信し（ステップＳ２１）、当該洋服対応の時計画像を表示させる設定とし（ステップＳ２２）、後述のステップＳ３１に移行する。
ステップＳ２０において、洋服対応の時計画像が服装画像別時計画像データベース１５４にある場合には（ステップＳ２０；Ｙｅｓ）、服装画像別時計画像データベース１５４から洋服対応の時計画像を選択し、当該洋服対応の時計画像を表示させる設定とし（ステップＳ２２）、後述のステップＳ３１に移行する。
【００３８】
ここで、洋服対応の時計画像とは、例えば図６に示すように、ディスプレイ１１０よりも左右方向において幅の狭い時計画像Ｔ２である。
【００３９】
ステップＳ１９において、撮影した服装画像が洋服でない場合には（ステップＳ１９；Ｎｏ）、撮影した服装の画像が水着又は露出度の大きい遊び着であるか否かを判定し（ステップＳ２３）、水着又は露出度の大きい遊び着である場合には（ステップＳ２３；Ｙｅｓ）、水着又は遊び着対応の時計画像が記憶部１５の服装画像別時計画像データベース１５４にあるか否かを判定する（ステップＳ２４）。
【００４０】
ステップＳ２４において、水着又は遊び着対応の時計画像が服装画像別時計画像データベース１５４にない場合には（ステップＳ２４；Ｎｏ）、サーバー１７から水着又は遊び着対応の時計画像を受信し（ステップＳ２５）、当該水着又は遊び着対応の時計画像を表示させる設定とし（ステップＳ２６）、後述のステップＳ３１に移行する。
ステップＳ２４において、水着又は遊び着対応の時計画像が服装画像別時計画像データベース１５４にある場合には（ステップＳ２４；Ｙｅｓ）、服装画像別時計画像データベース１５４から水着又は遊び着対応の時計画像を選択し、当該水着又は遊び着対応の時計画像を表示させる設定とし（ステップＳ２６）、後述のステップＳ３１に移行する。
【００４１】
ここで、水着又は遊び着対応の時計画像とは、例えば図７に示すように、ディスプレイ１１０の全面を使用したダイバーウォッチ風の大型の時計画像Ｔ３である。
【００４２】
ステップＳ２３において、撮影した服装画像が水着又は遊び着でない場合には（ステップＳ２３；Ｎｏ）、ユーザーが予め登録した本日のスケジュールデータをスケジュールデータベース１５２から参考情報として読み出し（ステップＳ２７）、ステップＳ２８に移行する。具体的には、撮影した画像のみでは、和服、洋服及び水着又は遊び着を判定することができない場合、例えば喪服や礼服に白ネクタイ着用の場合に、参考情報としてユーザーが予め登録した本日のスケジュールデータを利用する。
【００４３】
ステップＳ２８において、スケジュールデータベース１５２に本日のスケジュールデータに応じた時計画像があるか否かを判定する。
具体的には、撮影した服装が喪服であって、本日のスケジュールデータとして葬式が登録されていた場合、葬式対応の時計画像があるか否かを判定する。葬式対応の時計画像とは、例えば図８に示すように、黒色の時計画像であり、かつ、ディスプレイ１１０よりも上下方向及び左右方向において全体的に小型の時計画像Ｔ４である。
その他、撮影した服装が礼服に白ネクタイを着用した服装であって、本日のスケジュールデータとして結婚式が登録されていた場合、結婚式用の時計画像があるか否かを判定する。
【００４４】
本日のスケジュールデータに応じた時計画像がない場合には（ステップＳ２８；Ｎｏ）、サーバー１７から本日のスケジュールデータに応じた時計画像を受信（ステップＳ２９）し、当該スケジュールデータに応じた時計画像を表示させる設定とし（ステップＳ３０）、ステップＳ３１に移行する。
本日のスケジュールデータに応じた時計画像がある場合には（ステップＳ２８；Ｙｅｓ）、当該スケジュールデータに応じた時計画像を表示させる設定とし（ステップＳ３０）、ステップＳ３１に移行する。
【００４５】
ステップＳ３１において、各服装に応じて設定した時計画像と、ディスプレイ１１０の縁部までの間で上下方向に隙間があるか否かを判定する。隙間がある場合には（ステップＳ３１；Ｙｅｓ）、バンド情報データベース１５３からバンド２に対応する色及びバンド２の幅を読み出し、その色及び幅に合った画像を、当該上下方向の隙間に付加して（ステップＳ３２）、ステップＳ３３に移行する。具体的には図５のように、時計画像Ｔ１とディスプレイ１１０の縁部までの間の上下方向に隙間Ｓ１があるので、この隙間Ｓ１に、バンド２の色と同じ色で、同じ幅のバンド２の画像Ｂを付加して、バンド２と時計画像Ｔ１とが連結する画像に設定する。
ステップＳ３１において、隙間がない場合には（ステップＳ３１；Ｎｏ）、ステップＳ３３に移行する。
【００４６】
ステップＳ３３において、各服装に応じて設定した時計画像と、ディスプレイ１１０の縁部までの間で左右方向に隙間があるか否かを判定する。隙間がある場合には（ステップＳ３３；Ｙｅｓ）、撮影画像データ記憶領域１５５からユーザーの手首部分の色と同じ色を読み出し、その色の画像を、当該左右方向の隙間に付加して（ステップＳ３４）、時計画像取得処理を終了する。具体的には図６のように、時計画像Ｔ２とディスプレイ１１０の縁部までの間の左右方向に隙間Ｓ２があるので、この隙間Ｓ２に、手首の肌色と同じ色の画像Ｈを付加して、時計画像Ｔ２の左右方向の幅が狭い画像に設定する。
ステップＳ３３において、隙間がない場合には（ステップＳ３３；Ｎｏ）、時計画像取得処理を終了する。
【００４７】
そして、上記時計画像取得処理を終了したら、図３に示すように、時計画像取得処理で
設定した服装に応じた時計画像をリスト端末装置１のディスプレイ１１０に表示して（ステップＳ５）、処理を終了する。
【００４８】
以上、本発明の実施の形態によれば、図３のステップＳ１〜Ｓ５に示すように、ユーザーが撮影した服装及び手首部分の画像を取得した後、この取得した服装画像に応じた時計画像を取得して、当該時計画像をディスプレイ１１０に表示するので、従来のように、ユーザー自身でディスプレイに好みの時計画像を表示する操作をしなくても、ユーザーの服装に合わせた時計画像を自動的に設定してディスプレイ１１０に表示することができる。したがって、ユーザーの服装に応じて、時計画像までを含んだトータルコーディネートを実現することができる。
【００４９】
また、図４のステップＳ１２及びＳ１３に示すように、ユーザーがカメラ付き外部機器によって服装及び手首部分を撮影した場合であっても、この撮影した服装及び手首部分の画像を取得して、さらに、当該取得した服装画像に応じた時計画像を、服装画像別時計画像データベース１５４、スケジュールデータベース１５２又はサーバー１７内から取得し、当該時計画像をディスプレイ１１０に表示するので、リスト端末装置１にカメラが内蔵されていない場合でも、ユーザーの服装に合わせた時計画像を自動的に設定してディスプレイ１１０に表示することができる。
【００５０】
また、図４のステップＳ３３、Ｓ３４及び図６に示すように、ユーザーの服装画像に応じた時計画像Ｔ２の正面視におけるサイズと、ディスプレイ１１０の正面視におけるサイズとを比較し、時計画像Ｔ２と、ディスプレイ１１０の縁部までの間で左右方向に隙間Ｓ２がある場合には、当該隙間Ｓ２に手首の肌色と同じ色の画像Ｈを付加した時計画像をディスプレイ１１０に表示する。そのため、左右方向の幅が狭い時計画像となり、例えば洋服対応の時計画像Ｔ２とすることができる。
【００５１】
また、図４のステップＳ３１、Ｓ３２及び図５に示すように、ユーザーの服装画像に応じた時計画像Ｔ１の正面視におけるサイズと、ディスプレイ１１０の正面視におけるサイズとを比較し、時計画像Ｔ１と、ディスプレイ１１０の縁部までの間で、上下方向に隙間Ｓ１がある場合には、当該隙間Ｓ１にバンド２の色及び幅と同じ色及び幅の画像Ｂを付加した時計画像をディスプレイ１１０に表示する。そのため、上下方向の長さが短い時計画像となり、例えば和服対応の時計画像Ｔ１とすることができる。
【００５２】
また、バンド２の幅及び色のデータが記憶部１５に予め記憶されているので、バンド２の幅及び色に合わせた時計画像を自動的に設定してディスプレイ１１０に表示することができる。
【００５３】
また、ディスプレイ１１０の左右方向における表示領域Ａが、ディスプレイ１１０の正面側から側面側に向けて延在し、リスト端末装置１を手首に装着して正面視した際に、ディスプレイ１１０の左右方向における表示領域Ａの外側に、当該表示領域Ａに連続して手首が配置されるようになっているので、ディスプレイ１１０に、左右方向の幅の狭い時計画像を表示して、その時計画像の左右方向の外側の表示領域Ａに、手首と同じ肌色の画像を表示することによって、リスト端末装置１を装着した際に、装着した手首と、時計画像の外側の肌色の画像とが連続しているように見える。したがって、左右方向の幅の狭い時計を装着しているように見せることができ、例えば、時計画像が目立たないような和服の場合に好適となる。
【００５４】
また、図４のステップＳ２７〜Ｓ３０に示すように、撮影した服装だけではなく、ユーザーが登録したスケジュールデータを参考情報として読み出して、そのスケジュールに応じた時計画像を取得して、当該時計画像をディスプレイ１１０に表示するので、スケジュールに応じた時計画像とすることができ、服装判定の精度がさらに高まる。
【００５５】
なお、上記の実施の形態におけるリスト端末装置１の各構成要素の細部構成及び細部動作に関しては、本発明の趣旨を逸脱しない範囲で適宜変更可能であることは勿論である。
【００５６】
例えば、上記の実施形態では、バンド２が有色の場合について説明したが、図９に示すように、バンド２を無色透明の樹脂等からなり、円筒状のバンド２としても良い。この場合、バンド２の透明部分では、手首の肌色が透けて見えるので、外観上、リスト端末装置１を装着していないように見せることができる。
また、バンド２を無色透明にした場合には、回路基板等の結線部分を手首の内側部分に配置し、ヒートシール２１等で当該結線部分を覆い、目立たないようにすることが好ましい。
また、本実施例では、ユーザーの服装画像に応じた時計画像を服装画像別時計画像データベース１５４から受信して、表示対象の時計画像として設定して、表示画面に表示するようになっている。これに対して服装画像別時計画像データベースをリスト端末装置に内蔵することとし、さらに、服装画像別に複数の時計画像（例えば形状が同じで各色の時計画像）を記憶するようにしても良い。その場合、服装画像に応じた複数の各色の時計画像を前記時計画像記憶手段から読みだして、縮小一覧表示、又は順次切り替え表示させて、当該複数の時計画像からユーザー操作により選択し、時計画像を表示対象に設定するようにしてもよい。このようにすることで、ユーザーの服装画像の和服、洋服等の種類だけでなく、ユーザーにより色も併せて最適な時計画像が表示対象に設定されることとなる。
【００５７】
以上、本発明の実施形態を説明したが、本発明の範囲は、上述の実施の形態に限定するものではなく、特許請求の範囲に記載された発明の範囲とその均等の範囲を含む。
【００５８】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
時計画像を表示する表示手段と、
前記表示手段を挟んで互いに対向する位置に設けられ、ユーザーの手首に装着するバンドと、
ユーザーの服装画像を取得する服装画像取得手段と、
前記服装画像取得手段により取得されたユーザーの服装画像に応じた時計画像を、前記表示手段に表示する制御を行う時計画像表示制御手段と、
を備えることを特徴とするリスト端末装置。
＜請求項２＞
前記服装画像取得手段は、外部機器により撮影された前記ユーザーの服装画像を受信して取得することを特徴とする請求項１に記載のリスト端末装置。
＜請求項３＞
服装画像の種類ごとに、時計画像を複数記憶している時計画像記憶手段と、
前記服装画像取得手段により取得されたユーザーの服装画像に応じた時計画像を前記時計画像記憶手段から読みだして、当該複数の時計画像からユーザー操作により選択した時計画像を表示対象に設定する時計画像設定手段と、
を備え、
前記時計画像表示制御手段は、前記時計画像設定手段により設定された時計画像を前記表示手段に表示する制御を行うことを特徴とする請求項１又は２に記載のリスト端末装置。
＜請求項４＞
前記服装画像取得手段により取得されたユーザーの服装画像に応じた時計画像を外部機器から受信して、表示対象に設定する時計画像設定手段を備え、
前記時計画像表示制御手段は、前記時計画像設定手段により設定された時計画像を前記表示手段に表示する制御を行うことを特徴とする請求項１又は２に記載のリスト端末装置。
＜請求項５＞
前記服装画像取得手段は、手首部分の画像を含むユーザーの服装画像を取得し、
前記時計画像表示制御手段が、
前記時計画像設定手段により表示対象に設定された時計画像の正面視におけるサイズと、前記表示手段の正面視におけるサイズとを比較し、
前記時計画像の前記バンドの幅方向における縁部と、前記表示手段の前記バンドの幅方向における縁部との間に隙間があると判定したときに、前記隙間に、前記服装画像取得手段により取得されたユーザーの手首部分の画像と同じ色の画像を付加して、前記表示手段に表示する制御を行うことを特徴とする請求項３又は４に記載のリスト端末装置。
＜請求項６＞
前記時計画像表示制御手段が、
前記時計画像設定手段により表示対象に設定された時計画像の正面視におけるサイズと、前記表示手段の正面視におけるサイズとを比較し、
前記時計画像の前記バンドの長さ方向における縁部と、前記表示手段の前記バンドの長さ方向における縁部との間に隙間があると判定したときに、前記隙間に前記バンドの幅及び色と同じ幅及び色の画像を付加して、前記表示手段に表示する制御を行うことを特徴とする請求項３〜５のいずれか一項に記載のリスト端末装置。
＜請求項７＞
前記バンドの幅及び色のデータを記憶する記憶手段を備えることを特徴とする請求項３〜６のいずれか一項に記載のリスト端末装置。
＜請求項８＞
前記表示手段の前記バンドの幅方向における表示領域が、当該表示手段の正面側から側面側に向けて延在し、
前記リスト端末装置を手首に装着して正面視した際に、前記表示手段の前記バンドの幅方向における表示領域の外側に、当該表示領域に連続して前記手首が配置されることを特徴とする請求項３〜７のいずれか一項に記載のリスト端末装置。
＜請求項９＞
時計画像を表示する表示手段を備えるコンピュータに、
ユーザーの服装画像を取得する服装画像取得機能と、
前記服装画像取得機能により取得されたユーザーの服装画像に応じた時計画像を、前記表示機能に表示する制御を行う時計画像表示制御機能と、
を備えることを特徴とするプログラム。
【符号の説明】
【００５９】
１  リスト端末装置
２  バンド
１１  表示部
１２  入力部
１３  通信部
１４  画像撮影部
１５  記憶部
１１０  ディスプレイ
Ａ  左右方向における表示領域
Ｓ１、Ｓ２  隙間
Ｔ１、Ｔ２、Ｔ３、Ｔ４  時計画像
【図１】
2014174144.tif 000003
【図２】
2014174144.tif 000004
【図３】
2014174144.tif 000005
【図４】
2014174144.tif 000006
【図５】
2014174144.tif 000007
【図６】
2014174144.tif 000008
【図７】
2014174144.tif 000009
【図８】
2014174144.tif 000010
【図９】
2014174144.tif 000011